(57)【要約】本発明は、表面ミル処理によって、レール、特に鉄道線路のレールの走行表面を、好ましくは、レール頭部クロスプロファイルの凸部をリプロファイリングするための方法に関するものである。本発明の目的は、要求を満たし、うねりのほとんどないプロファイルを得ることである。この目的のために、１回の表面研磨処理によって上記プロファイルを生み出すために、レールの長手方向に平行な方向に向けて、５つ以上の、好ましくは９つのミルトラックが作製される。また、その後、随意的に、走行表面、好ましくは、走行表面を含むレール頭部クロスプロファイルの凸部は、研磨処理される。
2004503700.tif 000002
【特許請求の範囲】
【請求項１】
少なくともレールの走行表面、好ましくは、レール、特に鉄道線路のレールのレール頭部クロスプロファイルの凸部を表面ミル処理することにより、リプロファイリングする方法であって、上記凸部は上記走行表面を示し、１回の表面ミル処理によって所望のプロファイルを生産するために、５以上の、好ましくは９の、レールの長手方向に互いに隣接するように設けられているミルトラックが形成され、続けて、随意的に、上記走行表面、好ましくは、凸部が上記走行表面を示す、レール頭部クロスプロファイルの凸部の研磨処理が実行されることを特徴とするレールの走行表面をリプロファイリングする方法。
【請求項２】
上記２つの外部トラックがクロス領域において曲線にしたがって実行され、外部のトラック間のトラックがクロス領域において直線にしたがって実行されるため、上記外部のトラック間のレール頭部クロスプロファイルは、それぞれ、折れ線、またはドラフトトラバースの方法で形成されることを特徴とする請求項１に記載のレールの走行表面をリプロファイリングする方法。
【請求項３】
上記レールの長手方向において実行されるトラックのうねりは、相互に相殺されるように配置されるため、トラックの谷と山とは、結果として、隣接したトラックの谷と山とに対して長手方向において相殺されることになることを特徴とする請求項１または２に記載のレールの走行表面をリプロファイリングする方法。
【請求項４】
上記トラックのミル処理は、カット−ダウンミル方式によって実行されることを特徴とする請求項１〜３のいずれか１項に記載のレールの走行表面をリプロファイリングする方法。
【請求項５】
上記トラックの長手方向に発生するうねりを減少させる、または同じ高さにするために、また随意的に、折れ線またはドラフトトラバースをそれぞれ平らにする、または同じ高さにするために、上記ミル処理されたレールは、好ましくは、同じ処理実行中においてミル処理が行われたすぐ後に、砥石車の軸とレールの長手方向に垂直な平面とが０°以上外れる角度を形成するとともに、研磨されることを特徴とする請求項１〜４のいずれか１項に記載のレールの走行表面をリプロファイリングする方法。
【請求項６】
上記砥石車の軸とレールの長手方向に垂直な平面とが、１°〜２０°の範囲内の角度αを形成することを特徴とする請求項５に記載のレールの走行表面をリプロファイリングする方法。
【請求項７】
上記角度αは、５°〜１２°の範囲内であり、理想的には、約８°であることを特徴とする請求項６に記載のレールの走行表面をリプロファイリングする方法。
【請求項８】
上記砥石車の軸とレールの長手方向に対称に設けられている平面とが、約９０°の角度βを形成することを特徴とする請求項５〜７のいずれか１項に記載のレールの走行表面をリプロファイリングする方法。
【請求項９】
上記砥石車の軸とレールの長手方向に対称に設けられている平面とが形成する角度βは、９０°より小さく、７０°より大きく、上記角度βは上記レールのガイド表面のプロファイルに維持されていることを特徴とする請求項５〜７のいずれか１項に記載のレールの走行表面をリプロファイリングする方法。
【請求項１０】
上記砥石車は、磨耗に依存して、研磨の深さを調節することによってレールに向かう方向に、好ましくは、自動的に、再調整されることを特徴とする請求項５〜９のいずれか１項に記載のレールの走行表面をリプロファイリングする方法。
【請求項１１】
上記研磨の深さは、砥石車の表面の直径の測定によって得られる測定データを利用することによって、または砥石車の駆動のモーメントを測定することによって得られる測定データを利用することによって制御されることを特徴とする請求項１０に記載のレールの走行表面をリプロファイリングする方法。
【請求項１２】
上記砥石車は、砥石の手段によってプロファイルが形成され、上記砥石は、上記レールと同じ角度αとβとを形成する上記砥石車とともに、少なくともレールの走行表面のプロファイルと長手方向とを示すことを特徴とする請求項５〜１１のいずれか１項に記載のレールの走行表面をリプロファイリングする方法。
【請求項１３】
レールの走行表面の研磨の前に開始され、次いで、研磨の間、プロファイル形成は、随意に、かつ多くの時間間隔をもって実行されることを特徴とする請求項１２に記載のレールの走行表面をリプロファイリングする方法。
【請求項１４】
上記レールとミルカッターおよび砥石車との間の相関する縦方向の運動は、ミルカッターおよび砥石車に関連するレールの縦方向の移動によって生み出されることを特徴とする請求項５〜１３のいずれか１項に記載のレールの走行表面をリプロファイリングする方法。
【請求項１５】
ミルカッターのかみ合わせの直前に、また砥石車のかみ合わせの直前に、上記レールは、レールの走行表面に対する方向に向けられたガイドに対して、その都度、押しつけられることを特徴とする請求項１４に記載のレールの走行表面をリプロファイリングする方法。
【請求項１６】
上記ガイドは、振動を避けるために、減衰することを特徴とする請求項１４に記載のレールの走行表面をリプロファイリングする方法。
【請求項１７】
上記ミルカッターのかみ合わせの直前に、また上記砥石車のかみ合わせの直前に、上記レールは、レールのガイド表面に対する方向に向けられた側面のガイドに対して押しつけられることを特徴とする請求項１４〜１６のいずれか１項に記載のレールの走行表面をリプロファイリングする方法。
【請求項１８】
上記砥石車のかみ合わせの直後に、上記レールは、レールの走行表面に向かう方向に向けられたガイドに対して押しつけられることを特徴とする請求項１４〜１７のいずれか１項に記載のレールの走行表面をリプロファイリングする方法。
【請求項１９】
上記砥石車のかみ合わせの直後に、上記レールは、レールのガイド表面に対して向けられている側面のガイドに対して押しつけられることを特徴とする請求項１４〜１８のいずれか１項に記載のレールの走行表面をリプロファイリングする方法。
【請求項２０】
ミル処理クズおよび研磨クズは、発生するとすぐに吸い取られることを特徴とする請求項５〜１９のいずれか１項に記載のレールの走行表面をリプロファイリングする方法。
【請求項２１】
上記研磨処理は、カット−ダウン方式によって実行されることを特徴とする請求項５〜２０のいずれか１項に記載のレールの走行表面をリプロファイリングする方法。
【請求項２２】
上記レールとミルカッターおよび砥石車との間の相関する縦方向の動きは、既に設置されたレールに沿って、ミルカッターおよび砥石車を縦方向に動かすことによって実行されることを特徴とする請求項５〜１２のいずれか１項に記載のレールの走行表面をリプロファイリングする方法。
【請求項２３】
上記ミルカッターおよび砥石車は、かみ合わせの位置までレールに対して動かされ、上記移動は、研磨の深さを調節するためのシステムとは独立して、レールの走行表面に対して押しつけられるガイド手段によってその都度制限されることを特徴とする請求項２２に記載のレールの走行表面をリプロファイリングする方法。
【請求項２４】
上記ミルカッターおよび砥石車は、レールのガイド表面に対する方向において、移動可能であり、上記移動は、レールのガイド表面に対する方向に向けられたガイド手段によって、その都度制限されることを特徴とする請求項２２または２３に記載のレールの走行表面をリプロファイリングする方法。
【請求項２５】
少なくとも、レール、特に、鉄道線路のレールの走行表面をミル処理するための、好ましくは、レール頭部のクロスプロファイルの凸部をミル処理するためのレール−プロファイルミルカッターであって、請求項１〜２４のいずれか１項に記載の方法を実行するためのものであり、サンドイッチミルカッターとして、上記ミルカッターは、複数のホイールを備えており、１組の上記ホイールは、表面に回転板が設けられていることを特徴とするレール−プロファイルミルカッター。
【請求項２６】
上記ミルカッターは、５つ以上のホイールを、好ましくは、９つのホイールを備えていることを特徴とする請求項２５に記載のレール−プロファイルミルカッター。
【請求項２７】
上記隣接するホイールの回転板は、ホイール上に配置されており、さらに、表面的にオフセットされるように配置されていることを特徴とする請求項２５または２６に記載のレール−プロファイルミルカッター。
【請求項２８】
上記回転板は、４つの部分からなる回転板から形成されていることを特徴とする請求項２５〜２７のいずれか１項に記載のレール−プロファイルミルカッター。
【請求項２９】
上記回転板は、上記ホイールから外部に向かって、半径方向に突出している突出部に、好ましくは、スクリュー接続手段によって、固定されていることを特徴とする請求項２５〜２８のいずれか１項に記載のレール−プロファイルミルカッター。
【請求項３０】
上記回転板の刃先は、これらが固定されている上記ホイールのプロファイルを越えていることを特徴とする請求項２５〜２９のいずれか１項に記載のレール−プロファイルミルカッター。
【請求項３１】
請求項１〜２４のいずれか１項に記載の方法を実行するための装置であって、
上記レールとミルカッターおよび随意的に設けられる砥石車との間における相関のある運動を生み出すための手段と、
上記ミルカッターのための駆動手段、および上記砥石車が設けられている場合は、砥石車のための駆動手段と、
請求項２５〜３０のいずれか１項に記載のミルカッターと、およびその後の研磨処理の場合に備えて、
上記レールの長手方向に垂直な平面から外れた方向に、上記砥石車の軸のポジショニングがなされていることを特徴とする装置。
【請求項３２】
上記レールの長手方向に垂直な平面から砥石車が外れている角度αは、１°〜２０°の範囲であることを特徴とする請求項３１に記載の装置。
【請求項３３】
上記角度αは、５°〜１２°の範囲内であり、好ましくは、約８°であることを特徴とする請求項３２に記載の装置。
【請求項３４】
上記砥石車の軸のポジショニングは、異なる偏差に調節するために、上記レールの長手方向に垂直な平面から移動可能であることを特徴とする請求項３１〜３３のいずれか１項に記載の装置。
【請求項３５】
上記砥石車の軸のポジショニングは、上記砥石車の軸とレールに対称な平面とのなす角度βが９０°、または７０°と９０°との間の範囲内であるように形成されていることを特徴とする請求項３１〜３４のいずれか１項に記載の装置。
【請求項３６】
磨耗に依存して、レールに向かう方向において砥石車を再調整するための手段が備えられており、上記手段は、好ましくは、上記砥石車の直径を測定するための測定システムを有していることを特徴とする請求項３１〜３５のいずれか１項に記載の装置。
【請求項３７】
レールの走行表面およびその長手方向のプロファイルを有する砥石は、上記レールと同様に、上記砥石車に対して上記角度αとβと同じ角度を形成することを特徴とする請求項３１〜３６のいずれか１項に記載の装置。
【請求項３８】
レールを移動させるための手段は、レールの縦軸の方向に、上記ミルカッターと、随意的に設けられる砥石車とを通り過ぎることを特徴とする請求項３１〜３７のいずれか１項に記載の装置。
【請求項３９】
上記手段は、レールの走行表面に対する方向に向けられたガイドと、上記ガイドに対してレールを押しつけるためのプレス装置とを備えていることを特徴とする請求項３８に記載の装置。
【請求項４０】
上記ガイドは、振動を減衰させるものであることを特徴とする請求項３９に記載の装置。
【請求項４１】
さらに、上記レールのための側面のガイドが設けられており、上記側面のガイドは、レールのガイド表面に対する方向に向けられており、さらに同様に、上記側面のガイドに対してレールを押しつけるためのプレス装置も設けられていることを特徴とする請求項３９または４０に記載の装置。
【請求項４２】
上記ミルカッターと随意的に設けられる砥石車とは、既に設置されたレールに沿って移動可能な移動手段を備えていることを特徴とする請求項３１〜３７のいずれか１項に記載の装置。
【請求項４３】
上記移動手段は、ほぼ垂直に、かつほぼ水平に、また走行表面およびガイド表面にてレールとかみ合っている、上記ミルカッターおよび随意的に設けられる砥石車のかみ合わせを制限するガイドを備えていることを特徴とする請求項４２に記載の装置。
【発明の詳細な説明】
本発明は、レールの走行表面を、好ましくは、レールのクロスプロファイル（交差プロファイル）のレール頭部の凸面、特に鉄道線路の走行表面を示す凸面を、表面ミル処理（例えば、挽く、削る等の処理）することによってリプロファイリング（再プロファイル形成）する方法に関するものである。
【０００１】
例えば、新しいプロファイルを形成するために、表面研磨によって老朽化したレールをリプロファイリングすることが知られている。この目的のために、レール頭部は、表面研磨によって機械形成される。ミルカッターのコストを幾分でも抑えるために、ミルカッター本体の休止時間に順次挿入される保持装置にすえつけられた回転板にミルカッターを備えることが知られている。この動作において、表面ミルカッターと同等の回転板は、線路の長手方向に方向づけられたミルトラック（ミル跡）を生み出す。しかしながら、空間の欠如のため、取り付けられた多くの回転板は、この種の表面ミルカッターを制限される。それゆえ、表面研磨によって、レールの長手方向に相互に隣り合うように設置され、回転板によってレール頭部に適する数少ないトラック（跡）を形成することだけが可能である。それによって、大きなうねりが形成されるため、研磨によってレール頭部を滑らかにする工程が必要となる。この目的の達成のために、完全に望まれるプロファイルを示す数多くの刃を表面ミルカッターに備えることが知られている。上記数多くの刃は、レールの長手方向に発生するわずかな深さの相違のみを保証することが必要である。ここで、このような種類の生らかにする工程が機械形成された完全なクロス領域を広げることによって生み出されるへこみや点が問題となる。これは、線路を通過したときに、騒音や振動を発生させるとともに、寿命をも短縮させる。
【０００２】
本発明の目的は、上記の欠点や困難を回避し、冒頭に説明した種類の方法、さらに当該方法を実行するためのレールプロファイルミルカッターを提供することにある。これによって、より線路の低速度変速装置のような小さな設備ためのミル処理単独により、また、ミル処理単独に加えて、より高速の変速装置ための、十分な研磨処理の追加により、線路のオペレーターや鉄道会社の調整にそれぞれしたがって、レールの長手方向とクロスプロファイルとの両方のうねりを小さくすることを達成することができる。
【０００３】
上記目的を達成するための冒頭に記載の方法において、１回のミル処理によって所望のプロファイルを形成するために、５以上の、好ましくは９以上の、レールの長手方向に互いに隣り合うように設置されたミルトラック（ミル跡）が形成され、続けて、少なくとも走行表面、好ましくは、凸面領域は走行表面を示す、レール頭部の凸面のクロスプロファイルへの付加的な研磨処理が実行される。
【０００４】
好ましい種々の実施形態は、下位の請求項において特徴づけられている。
【０００５】
上述したように、高速の走行変速装置のような大きな装置のために、本発明にかかるミル処理に続けて、研磨処理が行われる。上記研磨処理は、トラックの長手方向におけるうねり走行を減少させる、または同等にするために、そして、随意に、折れ線やドラフトトラバースを平らにする、または同等にするために、行われる。上記研磨された線路は、好ましくは、同じ走行における研磨箇所のすぐそばに、砥石車の軸とレールの長手方向に垂直な面とが０°以上外れた角度を形成するように、設置される。上記研磨処理の種々の好ましい実施形態は、下位請求項６〜２４に記載されている。
【０００６】
請求項１〜２４のいずれか１項に記載の方法を実行するための、レール、特に鉄道線路のレールの、少なくとも走行表面をミル処理するための、好ましくは、レール頭部のクロスプロファイルの凸部をミル処理するための、本発明にかかるレールプロファイルミルカッターは、サンドイッチミルカッターとして特徴づけられる。上記ミルカッターは、回転板の表面に設けられた数多くの車輪に形成されている。
【０００７】
好ましい実施形態は、下位請求項２６〜３０に記載されている。
【０００８】
本発明にかかる方法を実行するための装置は、以下の特徴的な構成を有している：
・レールとミルカッターとの間の関連する運動を生み出すための装置、および付加的に存在する砥石車
・ミルカッターのための駆動手段、および砥石車が設けられている場合は、上記砥石車のための駆動手段
・請求項２５〜３０のいずれか１項に記載のミルカッター、およびその後の研磨
・レールの長手方向に垂直な平面から外れた方向における砥石車の軸のポジショニング
種々の好ましい形態は、下位請求項３２〜４３に記載されている。
【０００９】
以下に、添付した図面に従って、２つの実施形態を詳細に説明する。図１は、本発明にかかる方法を実行するための装置のプロファイル図である。図２は、図１の装置を矢印ＩＩ方向から見た概要上面図である。図３は、本発明にかかる方法を実行するための装置のその他の実施形態を示す図である。図４は、レールの種々の状態における鉄道線路のレールのクロス領域を示す図である。図５は、本発明にかかる方法に関する、クロスセクションにおいて見られる線路のレール上の砥石車のかみ合わせを示す図である。
【００１０】
本発明にかかるレールプロファイルミルカッターを図６〜８に示す。図６は、組み立てられたミルカッターの部分断面図である。図７は、ミルカッターの各部分の分解図を示す。図８は、図７の矢印ＶＩＩＩ方向から見たミルカッターの車輪のプロファイル図を示す。
【００１１】
図４に示すように、レール１のクロス領域は種々の状態で描かれている。レール２の軸によって支えられているレール頭部３は、電車の車輪が走る走行表面４を示す凸面のクロス領域の部分５を備えており、新しい状態におけるクロス領域の部分は、線Ａで描かれている。すり減らすことによって、レール頭部３のクロス領域の凸面部分５は、線Ｂで描かれる形状になる。レール１がその状態になるとすぐに、またはかなり早期に、高速度レールに関して、レール１は終了しやすいので、少なくとも、レール頭部３の凸面領域５、しかし、例えば、−線Ｃで描かれる−オリジナルのクロス領域形状のような、オリジナルの状態の領域である、走行表面４は、正確な最も可能性のある近似である。それゆえに、１〜３デシミリメーターの範囲における寛容は、鉄道のオペレーター、または鉄道会社、もしくはセン　ドラフトｐｒ　ＥＮ１３６７４−１のような超領域的な標準にしたがって観察できる。そのようにする際には、レール１の研磨表面６と走行表面４とが終了することが必要である。
【００１２】
図４に示すように、比較的多くの量の材料が、レールのすり減らしによって、除かれなければならない。また、できるだけ鉄道交通の邪魔をしないようにするために、既に設置された鉄道のレールの場合は、レールのすり減らしは、できるだけ早くかつ安価に行われなければならない。
【００１３】
図１または図２は、固定した位置で調整され、機械で移動するように作製されたレール１を通過する、本発明にかかる装置が記載されている。図３は、機関車エンジンのような移動可能な装置に導入された本発明にかかる装置が記載されており、既に設置されたレールに対して実施するのに適した装置である。このような場合、本発明にかかる装置は、複製として存在しているため、左手の線路と右手の線路と両方同時に、一度の通過で終了させることができる。相互に全く同じの、固定装置と可動装置の部品と装置とは、同じ部材番号を付して説明する。
【００１４】
７は、表面ミルカッターとして形成されているミルカッター８を有するミルユニットを示し、以下により詳細に説明する。上記ミルカッター８は、駆動モーター９とギア１０とを介して駆動し、回転方向が選べる。このため、カットダウンミル方法（方式）によって、レール１が機械的に作製される。すぐ隣には、ミルユニット７、研磨ユニット１１が備えられており、そのうち砥石車１２は、駆動ギア１３の手段によって、好ましくは、ミルカッター８の回転方向に駆動される。このため、レール１のダウングラインドは効果的に行われる。上記砥石車１２は、砥石１４の深さを調節するシステムを備えている。このため、研磨に関して、レール１に対して砥石車１２を継続的に再調整して、実施することができる。砥石１４の深さを調節するための上記システムは、砥石車１２の表面の擦り減った直径を、継続的に測定するための測定システムを備えている。これはまた、駆動の瞬間の測定から得られたデータの測定にも利用される。
【００１５】
ミルチップとグラインド（研磨）チップ、および研磨カスは、発生するとすぐに、吸い込み手段１５、１６によって、吸い取られる。
【００１６】
ミルユニット７のすぐ前部に、研磨ユニット１１のすぐ後ろに、レール１のためのガイド１７がそれぞれに備えられており、サポートロール１８の手段によって、押さえられるレール１をガイドする。それゆえ、少なくとも、レール１の走行表面４を、好ましくは、レール頭部３の王冠部分を押さえることができる。さらに、両サイドのレール頭部とかみ合う、側面のガイドロール１９は、装置に沿って設けられており、それゆえ、レール１のガイド表面６のプロファイル近傍に備えられている側面のガイドロール１９は、その位置に固定される。上記レールは、反対のプロファイル近傍に固定された側面のガイドロール１９によって、固定された側面のガイドロール１９に対して押さえられる。それゆえ、レール１は、ミルユニットと研磨ユニットとの反対の正確な位置につくことになる。
【００１７】
ミルユニット７と研磨ユニット１１との間に、さらなるガイド２０が設けられており、これは、ミルカッターによって発生するレール１の振動を抑制するために、制動装置を備えている。
【００１８】
図２に特に示すように、砥石車の軸２１は、レールの長手方向に垂直な面２２に対して、角度αだけ傾けられる。この角度αは、０より大きく、先の研磨処理後のレール１の状態に応じて、範囲１〜２０°であることが好ましい。レール頭部３は、ミル処理のためのクロス領域を有しており、先の研磨処理によって、理想的なクロス領域に近づくならば、または新しい状態のレール１がまだロールスキンを供えているならば、上記角度αは、５°〜１２°の範囲が好ましく、理想的には、８°が最適である。しかし、クロス領域の前段階が、正確でない方法で、理想的なクロスプロファイルに調整されたならば、または、粗雑なだけの粗く処理されているならば、上記角度α葉より小さくなり、範囲１°〜６°であることが好ましく、砥石車の長寿化とともに、最高のチップ除去量を保証するために適している。
【００１９】
新しい状態において、砥石車１２は、すでにプレプロファイルされており、例えば、レール１と粗く接触するプロファイルを示す。上記反対のプロファイルを正確に作製するために、砥石車１２の表面に対して押される砥石２４を研磨手段２３に備えるという利点がある。上記砥石は、作製された所望の正確なプロファイルを有しており、それは、砥石車と角度αをなす。第１のレール１の研磨処理を開始する前に、上記砥石２４は、砥石車がそのプロファイルを取り入れるまで、砥石車に対して押される。レール１が研がれる間、砥石２４は砥石車１２から持ち上げられる。これは、砥石車は、プレプロファイル、例えば、研がれたレール頭部領域、またはローラースキンが備えられているレール頭部の表面それぞれにおいて、それ自体プロファイルされているからである。レール頭部３の機械作製の間、砥石は、一時的な研磨処理のために、最適に砥石車１２に接触している。
【００２０】
レール１は、十分な精度で研がれているもの、またはローラースキンを有するものを提供する砥石車１２を正確にともなうプロファイルの調整のためにも用いられている。
【００２１】
もし、図示した例示の実施の形態のように、削られたレール頭部表面が研がれるならば、プロファイルされた砥石車１２は、ミルカッター８によって生み出された波状のものを滑らかにするとともに、横断研磨のイメージを生み出すという最も重要な仕事のみを有する。
【００２２】
本発明にしたがって砥石車１２を傾けることによって、特によい状態のかみ合わせと強いスムーズ効果が発生する。傾けられた砥石車１２の編み合わせは、図５に図示している。傾きが、特に、レール頭部３の凸部領域５がレール頭部３のプロファイル２５と接触する箇所において、有利なかみ合わせ角度を生み出すことは明らかである。このようなかみ合わせの好ましい状態は、火災が発生しないように、研磨表面に備えられた、非常に耐熱性のある材料の十分広範囲な除去が行われる場所でも発生する。さらに、砥石車１２の長寿命化もこれによって可能となる。
【００２３】
砥石車１２の軸２１が、レールの長手方向の中央の対称面２６に対して、１〜２０°の範囲内の角度β傾くことによっても、有益である。
【００２４】
本発明にしたがって、上記装置の手段によって、ことなるテールのプロファイルが機械的に生産されるならば、砥石車１２の軸２１は上記装置によって調節可能となるように、適切に調節されていることが好ましい。
【００２５】
図３に図示する実施の形態によれば、ミルユニット７と研磨ユニット１１とは、レール−ミルライン２７に導入されている。アクチュエーター手段２８によって、ミルカッター８と砥石車１２とは、レール頭部３上に設置されたガイド１７および２０まで、レール１に対しておおよそ垂直に移動する。研磨ユニット１１とミルユニット７とにおける、ガイド表面６に向けて、レール頭部３上に設置された側面のガイドロール１９までのプロファイルの運動は、同様に可能である。
【００２６】
本発明にかかるレールプロファイルミルカッター８は、サンドイッチミルカッターとして構成されている。例えば、リングホイールとして形成されているホイール３０を有している。以下に説明するように、これらリングホイール３０は各々、多くの回転板３１を支持している。これらは、硬い金属、セラミック、またはこれらに類似の材料によって作製されている。図６に示すように、上記リングホイール３０は、スクリュー接続手段３３によって、ミルカッターコア３２に固定されており、複数個のセンタリングピン手段２４によって、互いに対して中心に設けられており、さらなるスクリュー手段３５によって互いに対してしっかりと固定されている。
【００２７】
図示された実施の形態に示すように、９つのリングホイール３０が備えられており、２つの外部のリングホイール３０は、４つの部分からなる（４倍の）回転板を支持し、その刃先はアーチ型の形状であり、ミル処理、例えば、ガイド表面６近傍に、ミルトラックを形成するために、働く。外部表面３６において、外部リングホイール３０の間に並べられたリングホイール３０は、外部表面３６を越えた突起（隆起、こぶ）３７を備えており、リングホイール３０に１ピース形成されている。上記突起（隆起、こぶ）３７は、まっすぐな刃先を示す、４つの部分からなる回転板３１のためのシートを形成している。突起（隆起、こぶ）３７がリングホイール３０に設けられていることによって、広々としたチップバッグ３８が回転板３１の間に形成される。
【００２８】
全ての回転板３１は、好ましくは、スクリュー接続手段（クランプ接続がよく用いられている）によって、リングホイール３０に固定されている。リングホイール３０の回転板３１の１組の刃先は、固定されているリングホイール３０の刃先プロファイルを超える外部リングホイール３０の間に並べられている。隣接するリングホイール３０の回転板３１は、リングホイール３０と並べられており、表面的に相殺されるために並べられているため、表面に関して隣接するリングホイールの回転板３１は、最終的には、第１のリングホイール３０の回転板３１の間に設置される。
【００２９】
本発明にかかるサンドイッチミルカッター手段８によって、レール頭部３の上に、レール１の長手方向に延長して、多くの、少なくとも９以上のミルトラックを形成することができる。これによって、例えば、レール頭部３の理想的なクロスプロファイル（クロスプロファイル）の近似値に大変近い、ミル処理されたクロスプロファイルを非常に正確に得ることができる。ある装置のために、本発明にかかるミルカッター手段８、及び／又は、本発明にかかるミル処理方法によって、リプロファイリング（再プロファイル化）されたレール頭部３は、それほど速すぎない変速装置のためには、続く研磨処理を行わなくても十分である。さらに大きな装置のためには、ミルトラックは、上述した研磨処理をまぬがれない。
【００３０】
本発明にかかる研磨方法の重要な利点は、１回の処理工程でレール頭部３上に形成できる、隣接する複数のミルトラックにある。特に、優れているのは、本発明にかかるミル処理方法は、本発明にかかる研磨方法と組み合わせ可能であることである。これによって、老朽化したレールや表面の場合でも、本発明にかかるミル処理方法のために、かなりの程度の理想的なレールプロファイルに相当する広範囲の材料の除去が可能となる。なお、研磨処理はほんのわずかでかまわない。例えば、比較的わずかな量の材料の除去を研磨処理によって行う程度でよい。
【００３１】
これによって、１回の処理工程で、ミル処理と研磨処理とを組み合わせることができる。それゆえ、走行表面の形成、またはレール頭部の機械形成が可能であり、走行性能、装置寿命、および騒音除去の点で要求される多くのものを満たすことができる。
【図面の簡単な説明】
【図１】
本発明にかかる方法を実行するための装置のプロファイル図である。
【図２】
図１の装置を矢印ＩＩ方向から見た概要上面図である。
【図３】
本発明にかかる方法を実行するための装置のその他の実施形態を示す図である。
【図４】
レールの種々の状態における線路のレールのクロス領域を示す図である。
【図５】
本発明にかかる方法に関する、クロスセクションにおいて見られる線路のレール上の砥石車のかみ合わせを示す図である。
【図６】
組み立てられたミルカッターの部分断面図である。
【図７】
ミルカッターの各部分の分解した様子を示す図である。
【図８】
図７の矢印ＶＩＩＩ方向から見たミルカッターの車輪のプロファイルを示す図である。
【国際公開パンフレット】
2004503700.tif 000003
2004503700.tif 000004
2004503700.tif 000005
2004503700.tif 000006
2004503700.tif 000007
2004503700.tif 000008
2004503700.tif 000009
2004503700.tif 000010
2004503700.tif 000011
2004503700.tif 000012
2004503700.tif 000013
2004503700.tif 000014
2004503700.tif 000015
2004503700.tif 000016
2004503700.tif 000017
2004503700.tif 000018
2004503700.tif 000019
2004503700.tif 000020
2004503700.tif 000021
2004503700.tif 000022
2004503700.tif 000023
【国際公開パンフレット（コレクトバージョン）】
2004503700.tif 000024
2004503700.tif 000025
【手続補正書】
【提出日】平成14年7月6日(2002.7.6)
【手続補正１】
【補正対象書類名】明細書
【補正対象項目名】全文
【補正方法】変更
【補正の内容】
【発明の詳細な説明】
【書類名】明細書
【発明の名称】少なくともレールの走行表面をリプロファイリングする方法、および相当する装置
【特許請求の範囲】
【請求項１】
少なくともレール（１）の走行表面（４）、好ましくは、レール、特に鉄道線路のレールのレール（１）頭部クロスプロファイルの凸部（５）を表面ミル処理することによって、リプロファイリングする方法であって、上記凸部は、１回の表面ミル処理においていくつかのミルトラックを生み出すための表面ミル処理によって上記走行表面（４）を示し、１回の表面ミル処理によって所望のプロファイルを生産するために、少なくとも９つの、レール（１）の長手方向に互いに隣接するように設けられており、少なくともミルトラックの境目の間に置かれているために、レールのクロス領域にそれぞれ、折れ線またはトラバースドラフトを発生しているミルトラックが形成され、続けて、随意的に、上記走行表面（４）、好ましくは、凸部が上記走行表面（４）を示す、レール頭部クロスプロファイルの凸部（５）の研磨処理が実行されることを特徴とするレールの走行表面をリプロファイリングする方法。
【請求項２】
少なくともレール（１）の走行表面（４）、好ましくは、レール、特に鉄道線路のレールのレール（１）頭部クロスプロファイルの凸部（５）を表面ミル処理することにより、リプロファイリングする方法であって、上記凸部は、１回の表面ミル処理においていくつかのミルトラックを生み出すための表面ミル処理によって上記走行表面（４）を示し、１回の表面ミル処理によって所望のプロファイルを生産するために、５つ以上の、レール（１）の長手方向に互いに隣接するように設けられているミルトラックが形成され、その後すぐに、上記走行表面（４）、好ましくは、凸部が上記走行表面（４）を示す、レール頭部クロスプロファイルの凸部（５）の研磨処理が実行されることを特徴とするレールの走行表面をリプロファイリングする方法。
【請求項３】
少なくともレール（１）の走行表面（４）、好ましくは、レール、特に鉄道線路のレールのレール（１）頭部クロスプロファイルの凸部（５）を表面ミル処理することにより、リプロファイリングする方法であって、上記凸部は、１回の表面ミル処理においていくつかのミルトラックを生み出すための表面ミル処理によって上記走行表面（４）を示し、１回の表面ミル処理によって所望のプロファイルを生産するために、５つ以上の、好ましくは９つの、レール（１）の長手方向に互いに隣接するように設けられているミルトラックが、サンドイッチミルカッターとして形成されているレールプロファイルミルカッター（８）の手段によって形成され、その後すぐに、上記走行表面（４）、好ましくは、凸部が上記走行表面（４）を示す、レール頭部クロスプロファイルの凸部（５）の研磨処理が実行されることを特徴とするレールの走行表面をリプロファイリングする方法。
【請求項４】
上記２つの外部トラックがクロス領域において曲線にしたがって実行され、外部トラック間のトラックがクロス領域において直線にしたがって実行されるため、上記外部トラック間のレール頭部クロスプロファイルは、それぞれ、折れ線、またはドラフトトラバースの方法で形成されることを特徴とする請求項１〜３のいずれか１項に記載のレールの走行表面をリプロファイリングする方法。
【請求項５】
上記トラックのミル処理は、カット−ダウンミル方式によって実行されることを特徴とする請求項１〜４のいずれか１項に記載のレールの走行表面をリプロファイリングする方法。
【請求項６】
上記トラックの長手方向に、上記ミル処理によって発生するうねりを減少させる、または同じ高さにするために、また随意的に、折れ線またはドラフトトラバースをそれぞれ平らにする、または同じ高さにするために、上記ミル処理されたレール（１）は、好ましくは、同じ処理実行中においてミル処理が行われたすぐ後に、それ自体周知の砥石車（１２）の軸（２１）とレール（１）の長手方向に垂直な平面とが０°以上外れる角度α、好ましくは、１°〜２０°の範囲内である上記角度αを形成するとともに、研磨されることを特徴とする請求項１〜５のいずれか１項に記載のレールの走行表面をリプロファイリングする方法。
【請求項７】
上記角度αは、５°〜１２°の範囲内であり、理想的には、約８°であることを特徴とする請求項６に記載のレールの走行表面をリプロファイリングする方法。
【請求項８】
上記レール（１）の長手方向に位置している、レールの対称の平面のカットラインを備える、それ自体周知の砥石車（１２）の軸（２１）と、上記レール（１）の長手方向に垂直な平面とは、約９０°の角度βを形成することを特徴とする請求項５〜７のいずれか１項に記載のレールの走行表面をリプロファイリングする方法。
【請求項９】
レール（１）の長手方向に設けられる対称の平面のカットラインを有する砥石車（１２）の軸（２１）と、レール（１）の長手方向に垂直になるように方向づけられた平面とは、９０°より小さく、７０°より小さい角度βを形成し、上記角度βは、レール（１）のガイド表面（６）の側面に維持されることを特徴とする請求項５〜７のいずれか１項に記載のレールの走行表面をリプロファイリングする方法。
【請求項１０】
上記砥石車（１２）は、磨耗に依存して、研磨の深さ（１４）を調節することによってレール（１）に向かう方向に、好ましくは、自動的に、再調整されることを特徴とする請求項５〜９のいずれか１項に記載のレールの走行表面をリプロファイリングする方法。
【請求項１１】
上記研磨の深さ（１４）は、砥石車（１２）の表面の直径の測定によって得られる測定データを利用することによって、または砥石車の駆動のモーメントを測定することによって得られる測定データを利用することによって制御されることを特徴とする請求項１０に記載のレールの走行表面をリプロファイリングする方法。
【請求項１２】
上記砥石車（１２）は、砥石の手段（２４）によってプロファイルが形成され、上記砥石は、上記レール（１）と同じ角度αとβとを形成する上記砥石車（１２）とともに、少なくともレール（１）の走行表面（４）のプロファイルと長手方向とを示すことを特徴とする請求項２〜１１のいずれか１項に記載のレールの走行表面をリプロファイリングする方法。
【請求項１３】
レール（１）の走行表面（４）の研磨の前に開始され、次いで、研磨の間、プロファイル形成は、随意に、かつ多くの時間間隔をもって実行されることを特徴とする請求項１２に記載のレールの走行表面をリプロファイリングする方法。
【請求項１４】
上記レール（１）とミルカッター（８）および砥石車（１２）との間の相関する縦方向の運動は、ミルカッター（８）および砥石車（１２）に関連するレール（１）の縦方向の移動によって生み出されることを特徴とする請求項２〜１３のいずれか１項に記載のレールの走行表面をリプロファイリングする方法。
【請求項１５】
ミルカッター（８）のかみ合わせの直前に、また砥石車（１２）のかみ合わせの直前に、上記レール（１）は、レール（１）の走行表面（４）に対する方向に向けられたガイド（１７、２０）に対して、その都度、押しつけられることを特徴とする請求項１４に記載のレールの走行表面をリプロファイリングする方法。
【請求項１６】
上記ガイド（１７、２０）は、振動を避けるために、減衰することを特徴とする請求項１４に記載のレールの走行表面をリプロファイリングする方法。
【請求項１７】
上記ミルカッター（８）のかみ合わせの直前に、また上記砥石車（１２）のかみ合わせの直前に、上記レール（１）は、レールのガイド表面（６）に対する方向に向けられた側面のガイド（１９）に対して押しつけられることを特徴とする請求項１４〜１６のいずれか１項に記載のレールの走行表面をリプロファイリングする方法。
【請求項１８】
上記砥石車（１２）のかみ合わせの直後に、上記レール（１）は、レール（１）の走行表面（４）に向かう方向に向けられた、より遠いガイド（１７）に対して押しつけられることを特徴とする請求項１４〜１７のいずれか１項に記載のレールの走行表面をリプロファイリングする方法。
【請求項１９】
上記砥石車（１２）のかみ合わせの直後に、上記レール（１）は、レール（１）のガイド表面（６）に対して向けられている側面のガイド（１９）に対して押しつけられることを特徴とする請求項１４〜１８のいずれか１項に記載のレールの走行表面をリプロファイリングする方法。
【請求項２０】
ミル処理クズおよび研磨クズは、発生するとすぐに吸い取られることを特徴とする請求項２〜１９のいずれか１項に記載のレールの走行表面をリプロファイリングする方法。
【請求項２１】
上記研磨処理は、カット−ダウン方式によって実行されることを特徴とする請求項２〜２０のいずれか１項に記載のレールの走行表面をリプロファイリングする方法。
【請求項２２】
上記レール（１）とミルカッター（８）および砥石車（１２）との間の相関する縦方向の動きは、既に設置されたレール（１）に沿って、ミルカッター（８）および砥石車（１２）を縦方向に動かすことによって実行されることを特徴とする請求項２〜１２のいずれか１項に記載のレールの走行表面をリプロファイリングする方法。
【請求項２３】
上記ミルカッター（８）および砥石車（１２）は、かみ合わせの位置までレール（１）に対して動かされ、上記移動は、研磨の深さを調節するためのシステム（１４）とは独立して、レールの走行表面に対して押しつけられるガイド手段（１７、２０）によってその都度制限されることを特徴とする請求項２２に記載のレールの走行表面をリプロファイリングする方法。
【請求項２４】
上記ミルカッター（８）および砥石車（１２）は、レールのガイド表面（６）に対する方向において、移動可能であり、上記移動は、レール（１）のガイド表面（６）に対する方向に向けられたガイド手段（１９）によって、その都度制限されることを特徴とする請求項２２または２３に記載のレールの走行表面をリプロファイリングする方法。
【請求項２５】
少なくとも、レール（１）、特に、鉄道線路のレールの走行表面をミル処理するための、好ましくは、レール（１）頭部のクロスプロファイルの凸部（５）をミル処理するためのレール−プロファイルミルカッター（８）であって、請求項１〜２４のいずれか１項に記載の方法を実行するためのものであり、サンドイッチミルカッターとして、上記ミルカッターは、複数のホイール（３０）を備えており、１組の上記ホイールは、表面に回転板（３１）が設けられていることを特徴とするレール−プロファイルミルカッター。
【請求項２６】
上記ミルカッター（８）は、５つ以上のホイール（３０）を、好ましくは、９つのホイール（３０）を備えていることを特徴とする請求項２５に記載のレール−プロファイルミルカッター。
【請求項２７】
上記隣接するホイール（３０）の回転板（３１）は、ホイール上に配置されており、さらに、表面的にオフセットされるように配置されていることを特徴とする請求項２５または２６に記載のレール−プロファイルミルカッター。
【請求項２８】
上記回転板（３１）は、４つの部分からなる回転板から形成されていることを特徴とする請求項２５〜２７のいずれか１項に記載のレール−プロファイルミルカッター。
【請求項２９】
上記回転板（３１）は、上記ホイール（３０）から外部に向かって、半径方向に突出している突出部（３７）に、好ましくは、スクリュー接続手段によって、固定されていることを特徴とする請求項２５〜２８のいずれか１項に記載のレール−プロファイルミルカッター。
【請求項３０】
上記回転板（３１）の刃先は、これらが固定されている上記ホイール（３０）のプロファイルを越えていることを特徴とする請求項２５〜２９のいずれか１項に記載のレール−プロファイルミルカッター。
【請求項３１】
請求項１〜２４のいずれか１項に記載の方法を実行するための装置であって、
上記レール（１）とミルカッター（８）および随意的に設けられる砥石車（１２）との間における相関のある運動を生み出すための手段（２７）と、
上記ミルカッターのための駆動手段（９）、および上記砥石車が設けられている場合は、砥石車（１２）のための駆動手段（１３）と、
請求項２５〜３０のいずれか１項に記載のミルカッター（８）と、およびその後の研磨処理の場合に備えて、
上記レールの長手方向に垂直な平面（２２）から外れた方向に、上記砥石車（１２）の軸（２１）のポジショニングがなされていることを特徴とする装置。
【請求項３２】
上記レール（１）の長手方向に垂直な平面（２２）から砥石車（１２）の軸（２１）が外れている角度αは、１°〜２０°の範囲であることを特徴とする請求項３１に記載の装置。
【請求項３３】
上記角度αは、５°〜１２°の範囲内であり、好ましくは、約８°であることを特徴とする請求項３２に記載の装置。
【請求項３４】
上記砥石車（１２）の軸（２１）のポジショニングは、異なる偏差に調節するために、上記レール（１）の長手方向に垂直な平面（２２）から移動可能であることを特徴とする請求項３１〜３３のいずれか１項に記載の装置。
【請求項３５】
上記レール（１）の対称の平面のカットラインを有する砥石車（１２）の軸（２１）のポジショニングと、レール（１）の長手方向に垂直な平面とは、９０°の角度β、または９０°〜７０°の範囲内の角度βを形成するように、構成されていることを特徴とする請求項３１〜３４のいずれか１項に記載の装置。
【請求項３６】
磨耗に依存して、レール（１）に向かう方向において砥石車（１２）を再調整するための手段（１４）が備えられており、上記手段（１４）は、好ましくは、上記砥石車の直径を測定するための測定システムを有していることを特徴とする請求項３１〜３５のいずれか１項に記載の装置。
【請求項３７】
レール（１）の走行表面（４）およびその長手方向のプロファイルを有する砥石（２４）は、上記レール（１）と同様に、上記砥石車（１２）に対して上記角度αとβと同じ角度を形成することを特徴とする請求項３１〜３６のいずれか１項に記載の装置。
【請求項３８】
レール（１）を移動させるための手段は、レールの縦軸の方向に、上記ミルカッター（８）と、随意的に設けられる砥石車（１２）とを通り過ぎることを特徴とする請求項３１〜３７のいずれか１項に記載の装置。
【請求項３９】
上記手段は、レール（１）の走行表面（４）に対する方向に向けられたガイド（１７、２０）と、上記ガイド（１７）に対してレール（１）を押しつけるためのプレス装置（１８）とを備えていることを特徴とする請求項３８に記載の装置。
【請求項４０】
上記ガイド（１７、２０）は、振動を減衰させるものであることを特徴とする請求項３９に記載の装置。
【請求項４１】
さらに、上記レール（１）のための側面のガイド（１９）が設けられており、上記側面のガイドは、レール（１）のガイド表面（６）に対する方向に向けられており、さらに同様に、上記側面のガイド（１９）に対してレール（１）を押しつけるためのプレス装置（１９）も設けられていることを特徴とする請求項３９または４０に記載の装置。
【請求項４２】
上記ミルカッター（８）と随意的に設けられる砥石車（１２）とは、既に設置されたレール（１）に沿って移動可能な移動手段（２７）を備えていることを特徴とする請求項３１〜３７のいずれか１項に記載の装置。
【請求項４３】
上記移動手段（２７）は、ほぼ垂直に、かつほぼ水平に、また走行表面（４）およびガイド表面（６）にてレール（１）とかみ合っている、上記ミルカッター（８）および随意的に設けられる砥石車（１２）のかみ合わせを制限するガイド（１７、２０、１９）を備えていることを特徴とする請求項４２に記載の装置。
【発明の詳細な説明】
本発明は、１回の表面ミル処理において複数のミルトラックを形成するための表面見る処理により、レールの走行表面を、好ましくは、レールのクロスプロファイル（交差プロファイル）のレール頭部の凸面、特に鉄道線路の走行表面を示す凸面を、表面ミル処理（例えば、挽く、削る等の処理）することによってリプロファイリング（再プロファイル形成）する方法、およびレールプロファイルミルカッター、並びに上記方法を実行するための装置に関するものである。
【０００１】
例えば、新しいプロファイルを形成するために、表面研磨によって老朽化したレールをリプロファイリングすることが知られている（ＡＴ−Ｂ３８８００２）。ミルカッターのコストを幾分でも抑えるために、ミルカッター本体の休止時間に順次挿入される保持装置にすえつけられた回転板にミルカッターを備えることが知られている。この動作において、表面ミルカッターと同等の回転板は、線路の長手方向に方向づけられたミル跡を生み出す。
【０００２】
ＡＴ−Ｂ３８８００２から知られているミル頭部は、上記レールの頭部をミル処理するために、１セットのミル頭部刃先を備えている。上記レールの頭部のプロファイルは、異なる半径の円弧で構成されている。そのために、上記ミル頭部は、ミル処理されるそれぞれのレール頭部の部分的な円弧と同じ数の刃先を有している。
【０００３】
しかしながら、空間の欠如のため、取り付けられた多くの回転板は、この種の表面ミルカッターを制限される。それゆえ、表面研磨によって、レールの長手方向に相互に隣り合うように設置され、回転板によってレール頭部に適する数少ないトラック（跡）を形成することだけが可能である。それによって、大きなうねりが形成されるため、研磨によってレール頭部を滑らかにする工程が必要となる。
【０００４】
完全に望まれるプロファイルを示す数多くの刃を表面ミルカッターに備えることが知られている。上記数多くの刃は、レールの長手方向に発生するわずかな深さの相違のみを保証することが必要である。ここで、このような種類の生らかにする工程が機械形成された完全なクロス領域を広げることによって生み出されるへこみや点が問題となる。これは、線路を通過したときに、騒音や振動を発生させるとともに、寿命をも短縮させる。
【０００５】
本発明の目的は、上記の欠点や困難を回避し、冒頭に説明した種類の方法、さらに当該方法を実行するためのレールプロファイルミルカッターを提供することにある。これによって、より線路の低速度変速装置のような小さな設備ためのミル処理単独により、また、ミル処理単独に加えて、より高速の変速装置ための、十分な研磨処理の追加により、線路のオペレーターや鉄道会社の調整にそれぞれしたがって、レールの長手方向とクロスプロファイルとの両方のうねりを小さくすることを達成することができる。
【０００６】
上記目的を達成するための冒頭に記載の方法において、１回のミル処理によって所望のプロファイルを形成するために、少なくとも９以上の、レールの長手方向に互いに隣り合うように設置されており、レールのクロス領域にそれぞれ、折れ線またはドラフトトラバースを創出しているミルトラック（ミル跡）が形成され、続けて、少なくとも走行表面、好ましくは、凸面領域は走行表面を示す、レール頭部の凸面のクロスプロファイルへの付加的な研磨処理が実行される。
【０００７】
他の実施の形態によれば、１回の表面ミル処理によって、所望のプロファイルを生み出すための冒頭に説明した方法において、レールの長手方向において互いに隣接して設置される、５以上のミルトラックが形成され、そのすぐ後に、少なくとも走行表面の研磨処理、好ましくは、走行表面を示す、レール頭部のクロスプロファイルの凸部の研磨処理が実行される。
【０００８】
また、その他の実施の形態では、１回の表面ミル処理によって、所望のプロファイルを生み出すために、レールの長手方向において互いに隣接して設置される、５以上の、好ましくは９以上のミルトラックが、サンドイッチミルカーーターとして形成されているレールプロファイルミルカッターの手段によって形成され、その後、随意的に、少なくとも走行表面の研磨処理、好ましくは、走行表面を示す、レール頭部のクロスプロファイルの凸部の研磨処理が実行される。
【０００９】
好ましい種々の実施形態は、下位の請求項において特徴づけられている。
【００１０】
上述したように、高速の走行変速装置のような大きな装置のために、本発明にかかるミル処理に続けて、研磨処理が行われる。上記研磨処理は、トラックの長手方向におけるうねり走行を減少させる、または同等にするために、そして、随意に、折れ線やドラフトトラバースを平らにする、または同等にするために、行われる。上記研磨された線路は、好ましくは、同じ走行における研磨箇所のすぐそばに、砥石車の軸とレールの長手方向に垂直な面とが０°以上外れた角度を形成するように、設置される。上記研磨処理の種々の好ましい実施形態は、下位請求項６〜２４に記載されている。
【００１１】
事前のミル処理がなされない研磨処理されたレール頭部は、ＤＥ−Ｃ４４３７５８５、ＵＳ−Ａ４５８３３２７、およびＥＰ−Ａ０８４３０４３に大筋で記載されている。このため、一方ではレールに沿って走る対称な中心平面に向かって傾いており、もう一方では、レールの長手方向に垂直な平面に対して対称な上記中心平面のカットライン（切れ目）に向かって傾いている軸を有する砥石車を用いることが知られている。１回の通過でちょっと多い材料が除去されることを確認するために、いくつかの、またはより多くの砥石車がそれぞれ、最先端技術にしたがって設けられている。
【００１２】
請求項１〜２４のいずれか１項に記載の方法を実行するための、レール、特に鉄道線路のレールの、少なくとも走行表面をミル処理するための、好ましくは、レール頭部のクロスプロファイルの凸部をミル処理するための、本発明にかかるレールプロファイルミルカッターは、サンドイッチミルカッターとして特徴づけられる。上記ミルカッターは、回転板の表面に設けられた数多くの車輪に形成されている。
【００１３】
好ましい実施形態は、下位請求項２６〜３０に記載されている。
【００１４】
本発明にかかる方法を実行するための装置は、以下の特徴的な構成を有している：
・レールとミルカッターとの間の関連する運動を生み出すための装置、および付加的に存在する砥石車
・ミルカッターのための駆動手段、および砥石車が設けられている場合は、上記砥石車のための駆動手段
・請求項２５〜３０のいずれか１項に記載のミルカッター、およびその後の研磨
・レールの長手方向に垂直な平面から外れた方向における砥石車の軸のポジショニング
種々の好ましい形態は、下位請求項３２〜４３に記載されている。
【００１５】
以下に、添付した図面に従って、２つの実施形態を詳細に説明する。図１は、本発明にかかる方法を実行するための装置のプロファイル図である。図２は、図１の装置を矢印ＩＩ方向から見た概要上面図である。図３は、本発明にかかる方法を実行するための装置のその他の実施形態を示す図である。図４は、レールの種々の状態における鉄道線路のレールのクロス領域を示す図である。図５は、本発明にかかる方法に関する、クロスセクションにおいて見られる線路のレール上の砥石車のかみ合わせを示す図である。
【００１６】
本発明にかかるレールプロファイルミルカッターを図６〜８に示す。図６は、組み立てられたミルカッターの部分断面図である。図７は、ミルカッターの各部分の分解図を示す。図８は、図７の矢印ＶＩＩＩ方向から見たミルカッターの車輪のプロファイル図を示す。
【００１７】
図４に示すように、レール１のクロス領域は種々の状態で描かれている。レール２の軸によって支えられているレール頭部３は、電車の車輪が走る走行表面４を示す凸面のクロス領域の部分５を備えており、新しい状態におけるクロス領域の部分は、線Ａで描かれている。すり減らすことによって、レール頭部３のクロス領域の凸面部分５は、線Ｂで描かれる形状になる。レール１がその状態になるとすぐに、またはかなり早期に、高速度レールに関して、レール１は終了しやすいので、少なくとも、レール頭部３の凸面領域５、しかし、例えば、−線Ｃで描かれる−オリジナルのクロス領域形状のような、オリジナルの状態の領域である、走行表面４は、正確な最も可能性のある近似である。それゆえに、１〜３デシミリメーターの範囲における寛容は、鉄道のオペレーター、または鉄道会社、もしくはセン　ドラフトｐｒ　ＥＮ１３６７４−１のような超領域的な標準にしたがって観察できる。そのようにする際には、レール１の研磨表面６と走行表面４とが終了することが必要である。
【００１８】
図４に示すように、比較的多くの量の材料が、レールのすり減らしによって、除かれなければならない。また、できるだけ鉄道交通の邪魔をしないようにするために、既に設置された鉄道のレールの場合は、レールのすり減らしは、できるだけ早くかつ安価に行われなければならない。
【００１９】
図１または図２は、固定した位置で調整され、機械で移動するように作製されたレール１を通過する、本発明にかかる装置が記載されている。図３は、機関車エンジンのような移動可能な装置に導入された本発明にかかる装置が記載されており、既に設置されたレールに対して実施するのに適した装置である。このような場合、本発明にかかる装置は、複製として存在しているため、左手の線路と右手の線路と両方同時に、一度の通過で終了させることができる。相互に全く同じの、固定装置と可動装置の部品と装置とは、同じ部材番号を付して説明する。
【００２０】
７は、表面ミルカッターとして形成されているミルカッター８を有するミルユニットを示し、以下により詳細に説明する。上記ミルカッター８は、駆動モーター９とギア１０とを介して駆動し、回転方向が選べる。このため、カットダウンミル方法（方式）によって、レール１が機械的に作製される。すぐ隣には、ミルユニット７、研磨ユニット１１が備えられており、そのうち砥石車１２は、駆動ギア１３の手段によって、好ましくは、ミルカッター８の回転方向に駆動される。このため、レール１のダウングラインドは効果的に行われる。上記砥石車１２は、砥石１４の深さを調節するシステムを備えている。このため、研磨に関して、レール１に対して砥石車１２を継続的に再調整して、実施することができる。砥石１４の深さを調節するための上記システムは、砥石車１２の表面の擦り減った直径を、継続的に測定するための測定システムを備えている。これはまた、駆動の瞬間の測定から得られたデータの測定にも利用される。
【００２１】
ミルチップとグラインド（研磨）チップ、および研磨カスは、発生するとすぐに、吸い込み手段１５、１６によって、吸い取られる。
【００２２】
ミルユニット７のすぐ前部に、研磨ユニット１１のすぐ後ろに、レール１のためのガイド１７がそれぞれに備えられており、サポートロール１８の手段によって、押さえられるレール１をガイドする。それゆえ、少なくとも、レール１の走行表面４を、好ましくは、レール頭部３の王冠部分を押さえることができる。さらに、両サイドのレール頭部とかみ合う、側面のガイドロール１９は、装置に沿って設けられており、それゆえ、レール１のガイド表面６のプロファイル近傍に備えられている側面のガイドロール１９は、その位置に固定される。上記レールは、反対のプロファイル近傍に固定された側面のガイドロール１９によって、固定された側面のガイドロール１９に対して押さえられる。それゆえ、レール１は、ミルユニットと研磨ユニットとの反対の正確な位置につくことになる。
【００２３】
ミルユニット７と研磨ユニット１１との間に、さらなるガイド２０が設けられており、これは、ミルカッターによって発生するレール１の振動を抑制するために、制動装置を備えている。
【００２４】
図２に特に示すように、砥石車の軸２１は、レールの長手方向に垂直な面２２に対して、角度αだけ傾けられる。この角度αは、０より大きく、先の研磨処理後のレール１の状態に応じて、範囲１〜２０°であることが好ましい。レール頭部３は、ミル処理のためのクロス領域を有しており、先の研磨処理によって、理想的なクロス領域に近づくならば、または新しい状態のレール１がまだロールスキンを供えているならば、上記角度αは、５°〜１２°の範囲が好ましく、理想的には、８°が最適である。しかし、クロス領域の前段階が、正確でない方法で、理想的なクロスプロファイルに調整されたならば、または、粗雑なだけの粗く処理されているならば、上記角度α葉より小さくなり、範囲１°〜６°であることが好ましく、砥石車の長寿化とともに、最高のチップ除去量を保証するために適している。
【００２５】
新しい状態において、砥石車１２は、すでにプレプロファイルされており、例えば、レール１と粗く接触するプロファイルを示す。上記反対のプロファイルを正確に作製するために、砥石車１２の表面に対して押される砥石２４を研磨手段２３に備えるという利点がある。上記砥石は、作製された所望の正確なプロファイルを有しており、それは、砥石車と角度αをなす。第１のレール１の研磨処理を開始する前に、上記砥石２４は、砥石車がそのプロファイルを取り入れるまで、砥石車に対して押される。レール１が研がれる間、砥石２４は砥石車１２から持ち上げられる。これは、砥石車は、プレプロファイル、例えば、研がれたレール頭部領域、またはローラースキンが備えられているレール頭部の表面それぞれにおいて、それ自体プロファイルされているからである。レール頭部３の機械作製の間、砥石は、一時的な研磨処理のために、最適に砥石車１２に接触している。
【００２６】
レール１は、十分な精度で研がれているもの、またはローラースキンを有するものを提供する砥石車１２を正確にともなうプロファイルの調整のためにも用いられている。
【００２７】
もし、図示した例示の実施の形態のように、削られたレール頭部表面が研がれるならば、プロファイルされた砥石車１２は、ミルカッター８によって生み出された波状のものを滑らかにするとともに、横断研磨のイメージを生み出すという最も重要な仕事のみを有する。
【００２８】
本発明にしたがって砥石車１２を傾けることによって、特によい状態のかみ合わせと強いスムーズ効果が発生する。傾けられた砥石車１２の編み合わせは、図５に図示している。傾きが、特に、レール頭部３の凸部領域５がレール頭部３のプロファイル２５と接触する箇所において、有利なかみ合わせ角度を生み出すことは明らかである。このようなかみ合わせの好ましい状態は、火災が発生しないように、研磨表面に備えられた、非常に耐熱性のある材料の十分広範囲な除去が行われる場所でも発生する。さらに、砥石車１２の長寿命化もこれによって可能となる。
【００２９】
砥石車１２の軸２１が、レールの長手方向の中央の対称面２６に対して、１〜２０°の範囲内の角度β傾くことによっても、有益である。
【００３０】
本発明にしたがって、上記装置の手段によって、ことなるテールのプロファイルが機械的に生産されるならば、砥石車１２の軸２１は上記装置によって調節可能となるように、適切に調節されていることが好ましい。
【００３１】
図３に図示する実施の形態によれば、ミルユニット７と研磨ユニット１１とは、レール−ミルライン２７に導入されている。アクチュエーター手段２８によって、ミルカッター８と砥石車１２とは、レール頭部３上に設置されたガイド１７および２０まで、レール１に対しておおよそ垂直に移動する。研磨ユニット１１とミルユニット７とにおける、ガイド表面６に向けて、レール頭部３上に設置された側面のガイドロール１９までのプロファイルの運動は、同様に可能である。
【００３２】
本発明にかかるレールプロファイルミルカッター８は、サンドイッチミルカッターとして構成されている。例えば、リングホイールとして形成されているホイール３０を有している。以下に説明するように、これらリングホイール３０は各々、多くの回転板３１を支持している。これらは、硬い金属、セラミック、またはこれらに類似の材料によって作製されている。図６に示すように、上記リングホイール３０は、スクリュー接続手段３３によって、ミルカッターコア３２に固定されており、複数個のセンタリングピン手段２４によって、互いに対して中心に設けられており、さらなるスクリュー手段３５によって互いに対してしっかりと固定されている。
【００３３】
図示された実施の形態に示すように、９つのリングホイール３０が備えられており、２つの外部のリングホイール３０は、４つの部分からなる（４倍の）回転板を支持し、その刃先はアーチ型の形状であり、ミル処理、例えば、ガイド表面６近傍に、ミルトラックを形成するために、働く。外部表面３６において、外部リングホイール３０の間に並べられたリングホイール３０は、外部表面３６を越えた突起（隆起、こぶ）３７を備えており、リングホイール３０に１ピース形成されている。上記突起（隆起、こぶ）３７は、まっすぐな刃先を示す、４つの部分からなる回転板３１のためのシートを形成している。突起（隆起、こぶ）３７がリングホイール３０に設けられていることによって、広々としたチップバッグ３８が回転板３１の間に形成される。
【００３４】
全ての回転板３１は、好ましくは、スクリュー接続手段（クランプ接続がよく用いられている）によって、リングホイール３０に固定されている。リングホイール３０の回転板３１の１組の刃先は、固定されているリングホイール３０の刃先プロファイルを超える外部リングホイール３０の間に並べられている。隣接するリングホイール３０の回転板３１は、リングホイール３０と並べられており、表面的に相殺されるために並べられているため、表面に関して隣接するリングホイールの回転板３１は、最終的には、第１のリングホイール３０の回転板３１の間に設置される。
【００３５】
本発明にかかるサンドイッチミルカッター手段８によって、レール頭部３の上に、レール１の長手方向に延長して、多くの、少なくとも９以上のミルトラックを形成することができる。これによって、例えば、レール頭部３の理想的なクロスプロファイル（クロスプロファイル）の近似値に大変近い、ミル処理されたクロスプロファイルを非常に正確に得ることができる。ある装置のために、本発明にかかるミルカッター手段８、及び／又は、本発明にかかるミル処理方法によって、リプロファイリング（再プロファイル化）されたレール頭部３は、それほど速すぎない変速装置のためには、続く研磨処理を行わなくても十分である。さらに大きな装置のためには、ミルトラックは、上述した研磨処理をまぬがれない。
【００３６】
本発明にかかる研磨方法の重要な利点は、１回の処理工程でレール頭部３上に形成できる、隣接する複数のミルトラックにある。特に、優れているのは、本発明にかかるミル処理方法は、本発明にかかる研磨方法と組み合わせ可能であることである。これによって、老朽化したレールや表面の場合でも、本発明にかかるミル処理方法のために、かなりの程度の理想的なレールプロファイルに相当する広範囲の材料の除去が可能となる。なお、研磨処理はほんのわずかでかまわない。例えば、比較的わずかな量の材料の除去を研磨処理によって行う程度でよい。
【００３７】
これによって、１回の処理工程で、ミル処理と研磨処理とを組み合わせることができる。それゆえ、走行表面の形成、またはレール頭部の機械形成が可能であり、走行性能、装置寿命、および騒音除去の点で要求される多くのものを満たすことができる。
【図面の簡単な説明】
【図１】
本発明にかかる方法を実行するための装置のプロファイル図である。
【図２】
図１の装置を矢印ＩＩ方向から見た概要上面図である。
【図３】
本発明にかかる方法を実行するための装置のその他の実施形態を示す図である。
【図４】
レールの種々の状態における線路のレールのクロス領域を示す図である。
【図５】
本発明にかかる方法に関する、クロスセクションにおいて見られる線路のレール上の砥石車のかみ合わせを示す図である。
【図６】
組み立てられたミルカッターの部分断面図である。
【図７】
ミルカッターの各部分の分解した様子を示す図である。
【図８】
図７の矢印ＶＩＩＩ方向から見たミルカッターの車輪のプロファイルを示す図である。
【手続補正２】
【補正対象書類名】図面
【補正対象項目名】図５
【補正方法】変更
【補正の内容】
【図５】
2004503700.tif 000026
【国際調査報告】
2004503700.tif 000027
2004503700.tif 000028
2004503700.tif 000029
2004503700.tif 000030